(57)【要約】【課題】踵の圧力を低減及びバランス良く分散でき、中心に集中する向きに圧力がかかり、踵から斜めの圧力を加えても、水平方向の分力を減少でき、左右前後方向への圧力を低減でき、踵をより安定的に保持でき、足首や足指等に過度の負担がかからず、甲からつま先への負担を軽減でき、靴の捩れや伸び等を低減でき、耐久性に優れ、足にかかる負担を軽減でき、歩き易く、衝撃吸収力を発揮でき、補強体の軽量化及び靴の軽量化にも役立ち、構成簡素で、量産に適し、取り扱い易く、経済的な踵部構造を提供する。【解決手段】アウターソール本体１とカップソール２と中底７と補強体３とを備え、踵部上面５を、前後左右方向で湾曲する湾曲凹面とし、踵部下面６を、前後左右方向で湾曲する湾曲凸面とし、踵部上面５に複数の窪部４を配設し、中底７が補強体３の踵部下面６に接触する部分を、踵部下面６に合致する湾曲凹面に形成する。【選択図】図２
0003127889.tif 000002
【実用新案登録請求の範囲】
【請求項１】
アウターソール本体と、カップソールと、中底と、この中底とカップソールの間に、前後方向略中央部分から後部に亙って介装される比較的硬い補強体とを少なくとも備えたコンフォートシューズに於いて、補強体の後部上面となるの踵部上面を、前後方向及び左右方向で湾曲するような湾曲凹面とし、補強体の後部下面となる踵部下面を、前後方向及び左右方向で湾曲するような湾曲凸面とし、踵部上面がわには複数の適宜窪部を配設し、中底が補強体の踵部下面に接触する部分を、踵部下面に合致するような湾曲凹面に形成したことを特徴とするコンフォートシューズに於ける踵部構造。
【請求項２】
前記補強体の踵部上面の湾曲凹面の曲率半径を、踵部下面の湾曲凸面の曲率半径より大きくなるように設定し、踵部上面の湾曲凹面と踵部下面の湾曲凸面の厚みが、その平面中央部分から外周がわに行くに従って漸次薄肉となるように形成したことを特徴とする請求項１記載のコンフォートシューズに於ける踵部構造。
【請求項３】
前記窪部は、平面略六角穴状に形成すると共に、補強体の踵部上面に略蜂の巣状に配し、隣設する窪部の間の隔壁部分でカップソールの踵部を支えるように構成したことを特徴とする請求項１または請求項２記載のコンフォートシューズに於ける踵部構造。
【考案の詳細な説明】
【技術分野】
【０００１】
本考案は、主に、婦人用のコンフォートシューズに於ける踵部構造に係り、特に、踵の保持性が良く、甲からつま先への負担を軽減でき、踵からの圧力を分散でき、優れた衝撃吸収力を発揮でき、靴の捩れや伸び等を低減でき、靴の軽量化に役立ち、耐久性に優れ、足にかかる負担を軽減でき、より歩き易くなり、しかも、構成が簡素で、量産に適し、取り扱い易く、経済的となるように工夫したコンフォートシューズに於ける踵部構造に関するものである。
【背景技術】
【０００２】
従来、この種のコンフォートシューズに於ける踵部構造にあっては、例えば、特許文献１に示すようなカップインソールを装着したヒールを有する婦人靴が開示されている。
すなわち、本体に衝撃吸収性を有する部材を使用し、内甲踏まず部から踵後部、外甲側部にかけて立体曲面の形状をしたカップインソールを靴内に装填することにより形成されたものである。
【０００３】
【特許文献１】実用新案登録第３０９８９１８号
【考案の開示】
【考案が解決しようとする課題】
【０００４】
ところが、前述の如き婦人靴のカップインソールの踵部分下面にあっては、平坦に形成されており、この部分にかかる踵の圧力は、靴の踵部に対して夫々鉛直下方にかかるようになる。一方、踵による斜めからの圧力が加えられたときには、水平方向の分力によって左右方向や前後方向へも圧力が加わり、踵をその位置で保持し難いものとなっていた。ひいては、足首や足指等に過度の負担がかかる虞もあった。
【課題を解決するための手段】
【０００５】
そこで、本考案は、前述の如き難点等を解消できるようにし、踵の保持性が良く、甲からつま先への負担を軽減でき、踵からの圧力を分散でき、優れた衝撃吸収力を発揮でき、靴の捩れや伸び等を低減でき、靴の軽量化に役立ち、耐久性に優れ、足にかかる負担を軽減でき、より歩き易くなり、しかも、構成が簡素で、量産に適し、取り扱い易く、経済的にも優れた効果を発揮するようなコンフォートシューズに於ける踵部構造を提供できるようにすべく案出されたものである。
【０００６】
しかして、請求項１記載の踵部構造にあっては、アウターソール本体１と、カップソール２と、中底７と、この中底７とカップソール２の間に、前後方向略中央部分から後部に亙って介装される比較的硬い補強体３とを少なくとも備えたコンフォートシューズに於いて、補強体３の後部上面となるの踵部上面５を、前後方向及び左右方向で湾曲するような湾曲凹面とし、補強体３の後部下面となる踵部下面６を、前後方向及び左右方向で湾曲するような湾曲凸面とし、踵部上面５がわには複数の適宜窪部４を配設し、中底７が補強体３の踵部下面６に接触する部分を、踵部下面６に合致するような湾曲凹面に形成する手段を採用した。
【０００７】
また、請求項２記載の踵部構造にあっては、前記補強体３の踵部上面５の湾曲凹面の曲率半径を、踵部下面６の湾曲凸面の曲率半径より大きくなるように設定し、踵部上面５の湾曲凹面と踵部下面６の湾曲凸面の厚みが、その平面中央部分から外周がわに行くに従って漸次薄肉となるように形成する手段を採用した。
【０００８】
更に、請求項３記載の踵部構造にあっては、前記窪部４は、平面略六角穴状に形成すると共に、補強体３の踵部上面５に略蜂の巣状に配し、隣設する窪部４の間の隔壁部分でカップソール２の踵部を支えるように構成する手段を採用した。
【考案の効果】
【０００９】
従って、請求項１記載の踵部構造によれば、補強体３の後部上面となる踵部上面５を、前後方向及び左右方向で湾曲するような湾曲凹面とし、補強体３の後部下面となる踵部下面６を、前後方向及び左右方向で湾曲するような湾曲凸面としたので、単位面積当たりの踵の圧力を低減できるようになると共に、踵からの圧力をバランス良く分散できるようになる。更に、踵の圧力は、靴の踵部に対して中心に集中するような向きにかかるようになり、仮に、踵による斜めからの圧力が加えられたときでも、水平方向の分力を減少できて、左右方向や前後方向への圧力を低減できるようになり、踵を所定の位置でより安定的に保持できるようになる。すなわち、足首や足指等に過度の負担がかかるような虞のないものとなる。しかも、甲からつま先への負担を軽減できるようになり、靴の捩れや伸び等を低減でき、耐久性に優れ、足にかかる負担を軽減でき、より歩き易くなり、構成が簡素で、量産に適し、取り扱い易く、経済的にも優れた効果を発揮するようなコンフォートシューズに於ける踵部構造となる。
更に、補強体３の踵部上面５がわには複数の適宜窪部４を配設したので、カップソール２の一部が窪部４内にも入り込むように弾性変形できるようになり、カップソール２によるより優れた衝撃吸収力を発揮できるようになる。加えて、補強体３の軽量化及び靴の軽量化にも役立つようになる。
【００１０】
また、請求項２記載の踵部構造によれば、踵からの圧力をよりバランス良く分散できるようになり、更に、踵の圧力は、靴の踵部に対して中心により集中するような向きにかかるようになる。そのため、踵による斜めからの圧力が加えられたときでも、水平方向の分力をより減少できて、左右方向や前後方向への圧力をより低減できるようになり、踵を所定の位置でより安定的に保持できるようになる。すなわち、歩き易く、疲れ難いコンフォートシューズに於ける踵部構造となる。
【００１１】
更に、請求項３記載の踵部構造によれば、カップソール２の一部が窪部４内にスムーズに入り込むよう弾性変形可能となり、より高く且つバランスの良い衝撃吸収力をカップソール２が発揮できるようになる。しかも、補強体３の強度や耐久性を損うことなく軽量化できるようになる。
【考案を実施するための最良の形態】
【００１２】
以下、本考案を図示例に基づいて説明すると、次の通りである。
本考案のコンフォートシューズに於ける踵部構造は、例えば、アウターソール本体１と、カップソール２と、中底７と、この中底７とカップソール２の間に、前後方向略中央部分から後部に亙って介装される比較的硬い補強体３とを少なくとも備えたものである。
そして、補強体３の後部上面となるの踵部上面５を、前後方向及び左右方向で湾曲するような湾曲凹面とする。また、補強体３の後部下面となる踵部下面６を、前後方向及び左右方向で湾曲するような湾曲凸面とする。
それから、踵部上面５がわには複数の適宜窪部４を配設する。
しかも、中底７が補強体３の踵部下面６に接触する部分を、踵部下面６に合致するような湾曲凹面に形成する。
加えて、前記補強体３の踵部上面５の湾曲凹面の曲率半径を、踵部下面６の湾曲凸面の曲率半径より大きくなるように設定し、踵部上面５の湾曲凹面と踵部下面６の湾曲凸面の厚みが、その平面中央部分から外周がわに行くに従って漸次薄肉となるように形成する。
更に、前記窪部４は、平面略六角穴状に形成すると共に、補強体３の踵部上面５に略蜂の巣状に配し、隣設する窪部４の間の隔壁部分でカップソール２の踵部を支えるように構成する。
【実施例】
【００１３】
前記アウターソール本体１は、例えば、適宜合成樹脂材や、適宜ゴム材や、適宜複合材等によって構成され、靴の最下部に配されるものである。尚、アウターソール本体１の具体的構成や、形状や、寸法や、材質や、踵の形状や、寸法や、土踏まず部分の形状や、寸法や、つま先部分の形状や、寸法等は、図示例のもの等に限定されることなく、適宜自由に設定、変更できるものである。
【００１４】
前記中底７は、例えば、適宜紙材や、適宜合成樹脂材や、適宜複合材等によって構成され、アウターソール本体１の上面に接着されるものである。尚、中底７の具体的構成や、形状や、寸法や、材質等は、図示例のもの等に限定されることなく、適宜自由に設定、変更できるものである。
【００１５】
前記カップソール２は、例えば、弾性を備えた適宜発泡性合成樹脂材や、適宜複合材等によって構成され、その前部が中底７の上面に接着されるもので、足にフィットするように形成されている。尚、カップソール２の具体的構成や、形状や、寸法や、材質等は、図示例のもの等に限定されることなく、適宜自由に設定、変更できるものである。
【００１６】
前記補強体３は、例えば、比較的硬い適宜合成樹脂材や、適宜複合材等によって構成され、カップソール２の後部下面に接着できるように形成されている。しかも、その下面は、中底７の上面に接着できるように形成されている。
更に、補強体３は、例えば、前後方向の長さが靴の踵部分から靴の土踏まず部分を越えた程度の長さに設定され、中底７に設けられるシャンクのような機能（例えば、捩れや伸びの制御等）も発揮するように形成されている。しかも、その後がわ部分（踵部分）は中底７の輪郭形状に略合致するように形成され、その前がわ部分は中底７の輪郭形状より僅かに細くなるように形成されていて、安定的な装着が可能となるように配慮してある。尚、補強体３の具体的構成や、形状や、寸法や、材質等は、図示例のもの等に限定されることなく、適宜自由に設定、変更できるものである。
【００１７】
前記補強体３の後部上面となるの踵部上面５は、前後方向及び左右方向で湾曲するような湾曲凹面となるように形成されている。
また、前記補強体３の後部下面となる踵部下面６は、前後方向及び左右方向で湾曲するような湾曲凸面となるように形成されている。しかも、この踵部下面６が接触（接着）される中底７の踵部分上面は、踵部下面６に合致するような湾曲凹面に形成してある。
加えて、前記補強体３の踵部上面５の湾曲凹面の曲率半径は、踵部下面６の湾曲凸面の曲率半径より大きくなるように設定され、踵部上面５の湾曲凹面と踵部下面６の湾曲凸面の厚みが、その平面中央部分から外周がわに行くに従って漸次薄肉となるように形成されている。尚、踵部上面５や踵部下面６の具体的形状や、寸法等は、図示例のもの等に限定されることなく、適宜自由に設定、変更できるものである。
【００１８】
前記窪部４は、例えば、踵部上面５がわに複数設けられるもので、図示例では、平面略六角穴状に形成されている。しかも、複数の補強体３は、踵部上面５に略蜂の巣状に配されており、隣設する窪部４の間の隔壁部分がカップソール２の踵部下面を支えるように構成されている。尚、窪部４の具体的構成や、形状や、寸法や、配設状態や、数等は、図示例のもの等に限定されることなく、適宜自由に設定、変更できるものである。
【図面の簡単な説明】
【００１９】
【図１】本考案の一部を例示する斜視図である。
【図２】本考案を例示する縦断側面図である。
【図３】本考案を例示する縦断背面図である。
【図４】本考案に於ける加圧状態を示す概略側面図である。
【図５】本考案に於ける加圧状態を示す概略背面図である。
【図６】本考案に於ける変化した加圧状態を示す概略背面図である。
【図７】本考案に於ける変化した加圧状態を示す概略背面図である。
【符号の説明】
【００２０】
１    アウターソール本体
２    カップソール
３    補強体
４    窪部
５    踵部上面
６    踵部下面
７    中底
【図１】
0003127889.tif 000003
【図２】
0003127889.tif 000004
【図３】
0003127889.tif 000005
【図４】
0003127889.tif 000006
【図５】
0003127889.tif 000007
【図６】
0003127889.tif 000008
【図７】
0003127889.tif 000009